(57)【要約】      （修正有）【課題】使用において非常に便利なインク瓶を提供する。【解決手段】インク瓶１には瓶体１０を設置し、瓶体１０の底部片側には２個のサポートスタンド１１を設置し、２個のサポートスタンド１１は八の字形を呈して斜めに設置され、瓶体１０の片側辺上には外向きに延伸して導流管部１２を設置し、導流管部１２の外端部にはインクディップ管部１３を設置し、インクディップ管部１３と瓶体１０の間は導流管部１２により連通し、インクディップ管部１３の上方には瓶口１４を設置し、瓶口１４上には瓶栓２を設置し、大気圧対流原理を利用しインクディップ管部１３への瓶体１０のインク供給量を自動的に制御でき、インクディップ管部１３はペン先のインクディップ量を制御でき、使用において非常に便利である。【選択図】図１
0003216752.tif 000002
【実用新案登録請求の範囲】
【請求項１】
インク瓶には、瓶体を設置し、
該瓶体の底部片側には、２個のサポートスタンドを設置し、該２個のサポートスタンドは、八の字形を呈して斜めに設置され、該瓶体の片側辺上には外向きに延伸して、導流管部を設置し、該導流管部の外端部には、インクディップ管部を設置し、該インクディップ管部と該瓶体の間は、該導流管部により連通し、該インクディップ管部の上方には、瓶口を設置し、該瓶口上には、瓶栓を設置することを特徴とするインク瓶。
【請求項２】
前記２個のサポートスタンドと該瓶体の底部は、３点サポートを形成し、
該２個のサポートスタンドと該インクディップ管部の底部もまた、３点サポートを形成することを特徴とする請求項１に記載のインク瓶。
【考案の詳細な説明】
【技術分野】
【０００１】
本考案はインク瓶に関し、特に大気圧対流原理を利用し、インクディップ管部への瓶体のインク供給量を自動的に制御でき、これによりインクディップ管部はペン先のインクディップ量を制御できるインク瓶に関する。
【背景技術】
【０００２】
書道の世界では、時代と産業の推進により、ディップペン、毛筆等さまざまな種類の筆記用具が開発されている。
最近ではカリグラフィーが流行し、多くの文人雅士がディップペンを好んで用い、筆記や画作を行っている。
ディップペンの使用には先ずペン先をインク中に浸し、ペン先内にインクを含ませた後に筆記或いは画作を行う。
一般にインクを入れたインク瓶は、その多くが一般の瓶体上を蓋で塞ぎ、使用時には瓶蓋を開け、ペン先を瓶体内に入れてインクを浸す。
インク瓶は使用時にインクの深さが見えない点が非常に困るところである。
伝統的な金属ディップペンのペン先はインクを過多に吸い込み易く、紙上に垂れ、或いはペン棒に垂れて手を汚し、さらにはインクを浸けられない等の問題も発生する。
【０００３】
従来のインク瓶は、ペン先をインク中に入れる際の深さを制御しにくく、しかも従来のインク瓶は、インクを供給する使用機能しかなく、そのデザインは極めて単調であるため、飾って装飾とする効果はない。
【先行技術文献】
【特許文献】
【０００４】
【特許文献１】特開平８−２０７３９号公報
【考案の概要】
【考案が解決しようとする課題】
【０００５】
本考案の目的は、従来のインク瓶の使用において存在する欠点を解決できるインク瓶を提供することである。
【課題を解決するための手段】
【０００６】
本考案のインク瓶には瓶体を設置し、該瓶体の底部片側には、２個のサポートスタンドを設置し、該２個のサポートスタンドは、八の字形を呈して斜めに設置され、該瓶体の片側辺上には外向きに延伸して、導流管部を設置し、該導流管部の外端部には、インクディップ管部を設置し、該インクディップ管部と該瓶体の間は、該導流管部により連通し、該インクディップ管部の上方には、瓶口を設置し、該瓶口上には、瓶栓を設置し、
本考案のインク瓶において、該瓶体は、透明なガラス材質により製造し、該瓶体は球形体で、
本考案のインク瓶において、該瓶栓は、コルク材質により製造し、
本考案のインク瓶において、該２個のサポートスタンドと該瓶体の底部は、３点サポートを形成し、該２個のサポートスタンドと該インクディップ管部の底部もまた、３点サポートを形成する。
【考案の効果】
【０００７】
本考案インク瓶の長所は、以下の通りである。
1.大気圧対流原理を利用し、瓶体のインク供給量を自動的に制御できる。
2.透明な瓶体により、インクの深さを明確に知ることができ、ディップペンのペン先のインクディップ量を制御できる。
3.瓶体をひっくり返すという創意を利用し、インク供給とインク供給停止の機能を達成できる。
4.ディップペンをインクディップ管部に深く入れ、インクをつける時、インクがペン棒に付着する恐れがなく、使用において非常に便利である。
5.インク瓶の全体的なデザインは極めて独創的で、装飾効果を備える。
【図面の簡単な説明】
【０００８】
【図１】本考案実施例の立体分解図である。
【図２】本考案実施例の立体組合せ図である。
【図３】本考案実施例におけるインク充填の使用模式図である。
【図４】本考案実施例の不使用状態の模式図である。
【図５】本考案実施例において瓶体をひっくり返す動作の模式図である。
【図６】本考案実施例において瓶栓を開けた使用模式図である。
【図７】本考案実施例においてディップペンを瓶体内に深く差し入れる使用模式図である。
【考案を実施するための形態】
【０００９】
図１、２に示すように、本考案の実施例によるインク瓶１には、球形の瓶体１０を設置する。
【００１０】
該瓶体１０は、透明なガラス材質により製造し、該瓶体１０の底部１００片側には、２個のサポートスタンド１１を設置する。
【００１１】
該２個のサポートスタンド１１は、八の字形を呈して斜めに設置され、該瓶体１０の片側辺上には外向きに延伸して、導流管部１２を設置する。
【００１２】
該導流管部１２の外端部には、インクディップ管部１３を設置し、該インクディップ管部１３は、試験管状を呈し、該インクディップ管部１３と該瓶体１０の間は、該導流管部１２により連通する。
【００１３】
該インクディップ管部１３の上方には、瓶口１４を設置し、該瓶口１４上には、瓶栓２を設置する。
【００１４】
該瓶栓２は、コルク材質により製造し、該２個のサポートスタンド１１と該瓶体１０の底部１００は、テーブル面上で、３点サポートを形成する。
【００１５】
該２個のサポートスタンド１１と該インクディップ部１３の底部１３０もまた、テーブル面上で、３点サポートを形成し、こうしてインク瓶構造を構成する。
【００１６】
瓶体１内にインクを充填する時には、図３、４に示すように、瓶栓２を瓶口１４上から取り外し、ロート３を瓶口１４上に置き、インク４をロート３内に入れ、インクディップ管部１３を経て、導流管部１２から瓶体１０内に導引し、インク４を瓶体１０内に注入した後に上瓶栓２を閉め（図４参照）、インク４の充填を完成する。
【００１７】
インク瓶１を使用する時には、図４〜７に示すように、インク瓶１の瓶体１０を、２個のサポートスタンド１１を支軸として片側へと傾ける（図５参照）だけで良い。
【００１８】
これにより、インクディップ管部１３の底部１３０は、テーブル面上に接触し、２個のサポートスタンド１１と該インクディップ管部１３の底部１３０とは、３点で安定的にテーブル面上にサポートされる。
【００１９】
次に、瓶栓２を瓶口１４上から取り外し、大気圧対流原理を利用し、瓶体１０内のインク４は、導流管部１２から絶え間なくインク４をインクディップ管部１３へと自動供給（図６参照）し、大量のインク４が流出するという状況は発生せず、ディップペン５のペン先５０を、瓶口１４からインクディップ管部１３内に挿入すると、ペン先５０は直接インクディップ管部１３内の底部に挿入されインク４中に浸ってインクが付き（図７参照）、こうしてディップペン５使用前のインクディップを完成させる。
【００２０】
インク瓶１を使用しない時には、瓶体１０を、２個のサポートスタンド１１を支軸としてひっくり返し元の位置に戻す（図５参照）だけで、インクディップ管部１３の底部１３０はテーブル面を離れ、瓶体１０の底部１００は、テーブル面に接触し、２個のサポートスタンド１１と瓶体１０の底部１００はもう一つの３点サポートを形成し、安定的にテーブル面上に支えられ、次に栓２を瓶口１４上に戻して塞ぐ。
【００２１】
本考案のインク瓶１を使用しない時には、テーブル面上に置いておけば、装飾効果を備えた物品となり、本考案のインク瓶１はインク供給の効果だけでなく、インテリアとしての効果をも備える。
【００２２】
本考案のインク瓶１大気圧対流原理を利用し、瓶体１０をひっくり返すと同時に、インク４は、絶え間なくインクディップ管部１３へと自動供給され、大量のインク４が流出するという状況は発生しない。
【００２３】
しかも、インク４の流量を正確に制御でき、さらに透明なインク瓶１により、インク４の深さを明確に知ることができ、ディップペン５のペン先５０のインクディップ量を正確に制御でき、ディップペン５がインクディップ管部１３に深く入り、インク４が付く時、インク４がペン棒５１に付着して手が汚れるおそれはなく、使用において非常に便利で使いやすく、使用者に快適で安心なインクディップ体験を提供でき、これによりインク瓶１とディップペン５の関係はより完璧となる。
【産業上の利用可能性】
【００２４】
本考案は特許登録の要件である新規性を備え、従来の同類製品に比べ十分な進歩を有し、実用性が高く、社会のニーズに合致しており、産業上の利用価値は非常に大きい。
【符号の説明】
【００２５】
１  インク瓶
１０  瓶体
１００  底部
１１  サポートスタンド
１２  導流管部
１３  インクディップ管部
１３０  底部
１４  瓶口
２  瓶栓
３  ロート
４  インク
５  ディップペン
５０  ペン先
５１  ペン棒
【図１】
0003216752.tif 000003
【図２】
0003216752.tif 000004
【図３】
0003216752.tif 000005
【図４】
0003216752.tif 000006
【図５】
0003216752.tif 000007
【図６】
0003216752.tif 000008
【図７】
0003216752.tif 000009